【事件の表示】
　特許第３０８１４３６号「洗濯機の運転方法」の請求項１、２に係る特許に対する特許異議の申立てについて、次のとおり決定する。
【結　論】
　訂正を認める。
　特許第３０８１４３６号の請求項１に係る特許を取り消す。
【理　由】
１．手続きの経緯
　特許第３０８１４３６号の請求項１及び２に係る発明についての出願は、平成６年２月１８日に特許出願がされ、平成１２年６月２３日にその特許権の設定登録がなされ、その後、株式会社東芝より特許異議の申立てがなされ、取消しの理由が通知され、その指定期間内である平成１３年７月１９日に訂正請求がなされたものである。
　
２．訂正の適否についての判断
（１）訂正の内容
ア．訂正事項ａ
　特許請求の範囲の請求項1を削除する。
イ．訂正事項ｂ
　明細書の段落【０００８】の記載について、「【課題を解決するための手段】　本発明は、請求項１の構成として、洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程と、洗濯物の質を検知する負荷検知工程と、この負荷検知工程において検知された洗濯物の質に基づいて上記脱水すすぎ工程におけるサイクルの回数を変化させる条件変化工程とを備えたことを特徴とする洗濯機の運転方法にある。」とあるのを、
「【課題を解決するための手段】
　本発明は、請求項1の構成として.洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程と、洗濯物の質を検知する負荷検知工程と、この負荷検知工程において検知された洗濯物の質に基づいて上記脱水すすぎ工程の給水動作に係る所要時間を変化させる条件変化工程とを備えたことを特徴とする洗濯機の運転方法にある。」と訂正する。
ウ．訂正事項ｃ
　明細書の段落【０００９】の記載を削除する。
エ．訂正事項ｄ
　明細書の段落【００１０】の記載について、「【作用】洗濯物の質を検知し、この検知した洗濯物の質に基づいて、脱水すすぎ中の給水及び脱水のサイクルの回数や給水に係る所要時間を変化させる。これにより、洗濯物の質が木綿か化繊であると、これに適した脱水すすぎが行なわれ、所定の脱水すすぎ性能を確保しつつ時間や水の無駄遣いが抑制される。」とあるのを、
「【作用】
洗濯物の質を検知し、この検知した洗濯物の質に基づいて、脱水すすぎ中の給水に係る所要時間を変化させる。これにより、洗濯物の質が木綿か化繊であると、これに適した脱水すすぎが行なわれ、所定の脱水すすぎ性能を確保しつつ時間や水の無駄遣いが抑制される。」と訂正する。
オ．訂正事項ｅ
明細書の段落【００２９】の記載について、「【発明の効果】本発明によれば、洗濯物の質を検知し、この検知した洗濯物の質に基づいて、脱水すすぎ中の給水及び脱水のサイクルの回数や給水に係る所要時間を変化させるものであり、従って、洗濯物の質（木綿や化繊）に適した脱水すすぎを行なえ、所定の脱水すすぎ性能を確保しつつ時間や水の無駄遣いを抑制することができる。」とあるのを、
「【発明の効果】
　本発明によれば、洗濯物の質を検知し.この検知した洗濯物の質に基づいて、脱水すすぎ中の給水に係る所要時間を変化させるものであり、従って、洗濯物の質（木綿や化繊)に適した脱水すすぎを行なえ、所定の脱水すすき性能を確保しつつ時間や水の無駄遣いを抑制することができる。」と訂正する。
　
（２）訂正の目的の適否、新規事項の有無及び拡張・変更の存否
上記訂正事項ａは、請求項１を削除していることから、特許請求の範囲の減縮を目的とした明細書の訂正に該当する。また、上記訂正事項ｃは、上記訂正事項ａと整合を図るものであり、上記訂正事項ｂ、ｄ及びｅは、上記訂正事項ａによって繰り上がった請求項１（訂正前の請求項２）の記載と整合を図るものである。したがって、上記訂正事項ｂ乃至ｅは、明瞭でない記載の釈明を目的とした明細書の訂正に該当し、またいずれの訂正事項についても、新規事項の追加に該当せず、実質上特許請求の範囲を拡張又は変更するものではない。
　
（３）むすび
　したがって、上記訂正は、特許法第１２０条の４第２項及び同条第３項で準用する第１２６条第２項、第３項の規定に適合するので、当該訂正を認める。
　
３．特許異議の申立てについての判断
（１）請求項１に係る発明について
上記２．で示したように上記訂正が認められるから、本件の請求項１に係る発明は、上記訂正に係る訂正明細書の特許請求の範囲の請求項１に記載された事項により特定される次のとおりのものである。
　「洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程と、洗濯物の質を検知する負荷検知工程と、この負荷検知工程において検知された洗濯物の質に基づいて上記脱水すすぎ工程の給水動作に係る所要時間を変化させる条件変化工程とを備えたことを特徴とする洗濯機の運転方法。」（以下、「本件発明」という。）
　
（２）引用刊行物に記載された発明
（２−１）刊行物１記載の発明について
　当審が平成１３年５月２２日付で通知した取消しの理由において引用した刊行物１（特公平４−９５５９号公報）には、次の事項が図面とともに記載されている。
ｉ）「本発明は一槽式脱水洗濯機において、少なくとも１回のすすぎ工程を、洗濯工程終了後の排水工程及び泡切り断続脱水回転を経て一時脱水兼洗濯槽を停止させ、その後に水槽底部排水弁を開放しつつ脱水兼洗濯槽を間欠徐動回転させ、前記すすぎ工程時間内に少なくとも１回転以上させつつ、かつ、給水用電磁弁の動作を連続または断続的に給水させるすすぎ工程を有するプログラムを構成したものである。」（第２頁左欄第３乃至１２行）
ｉｉ）「所定の泡切り脱水運転終了後、脱水兼洗濯槽５の回転を一時完全に停止する。衣類１６は第１図に示すように若干の遠心力により、脱水兼洗濯槽５の側壁近傍に密着状態となる。一方、この状態から給水電磁弁１１を開放し、槽内に給水を行う。・・・一方水槽外底部の排水弁８は開放状態とし衣類を透過した水は排出するようにしておく。給水口１３は、とくに複雑な形状にする必要はないが、できるだけ脱水兼洗濯槽５の側壁に給水されるように給水方向を設定し、遠心力で側壁に偏った衣類に給水が当たるようにする。・・・ここで駆動用モーター６に極めて短時間の通電と、若干長いためのOFF状態の繰返しを行い、極めて徐動回転を行う。したがって脱水兼洗濯槽５は、通常の脱水回転に至らない単なる移動に近いような回転を生じせしめる。・・・以上の行程を経て後、脱水兼洗濯槽５を再び泡切り脱水を行い、衣類に含まれた水、洗剤分を遠心力にて除去する。なおこの新すすぎ後の泡切り脱水は、すでに衣類中の洗剤分は希釈されているため、急激な脱水回転上昇をさせても水槽内の発泡は多量に発生する恐れは無いので、通常脱水回転をさせても良い・・・」（第２頁左欄第４２行乃至右欄第３１行）、
ｉｉｉ）また、第２図を参照すると、この脱水兼洗濯槽を有する脱水洗濯機が、「給水」、「洗濯」、「排水」、「間欠脱水」、「停止」、「徐動回転」、「脱水」、「制動」、「給水」、「すすぎ」、「排水」、「脱水」、「制動」の各工程を順次行うことが認められるから、脱水兼洗濯槽に給水して洗濯を実行する洗濯工程が、間欠脱水工程の前にあるものと判断できる。
　また、上記ｉｉ）中の「給水口１３は・・・できるだけ脱水兼洗濯槽５の側壁に給水されるように給水方向を設定し、遠心力で側壁に偏った衣類に給水が当たるようにする。・・・ここで・・・極めて徐動回転を行う。」との記載からみて、上記給水動作によって、脱水兼洗濯槽内の洗濯物全体に水を振り掛け、洗濯物全体に十分に水をしみ込ませる作用が実質的に記載されているものと認められる。
　さらに、泡切り脱水は通常の脱水工程であることから、泡切り脱水において脱水兼洗濯槽は高速回転しているものと認められる。
　
　したがって、刊行物１には、上記記載事項及び第２図の図示内容等からみて、
「脱水兼洗濯槽に給水して洗濯を実行する洗濯工程と、この洗濯工程の後、上記脱水兼洗濯槽を徐動回転させながら脱水兼洗濯槽内に給水して脱水兼洗濯槽内の洗濯物全体に水を降り掛け、洗濯物全体に十分に水をしみ込ませる給水動作と、この給水動作後に上記脱水兼洗濯槽を高速回転して脱水する脱水動作と、からなるサイクルを実行するすすぎ工程を備えた洗濯機の運転方法。」（以下、「引用発明１」という。）が記載されているものと認めることができる。
　
（２−２）刊行物２記載の発明について
　当審が平成１３年５月２２日付で通知した取消しの理由において引用した刊行物２（特開平４−１０５６９４号公報）には、次の事項が図面とともに記載されている。
ｉ）「この洗い運転の初めにおいて、洗濯物の布質を検出する。・・・これは、ジーパンのようにごわごわして体積の割に重量の重い洗濯物は、ランジェリーのようにしなやかで体積の割に重量の軽いものに比べて、回転槽３の底部に沈み込み易く、攪拌体４に対してより大きな負荷となるからである。このため、こわごわしたものは、攪拌体４の回転速度即ちモータ５の回転速度が変動し易い。・・・これに対して、ランジェリーのようなものは、回転槽３の上部に浮き気味になるから、モータ５の回転速度の変動が生じ難くなる。・・・以下、検出した布質に適した水流の強さ、洗い時間、すすぎ時間及び脱水時間等を設定した後（ステップＳ８，Ｓ１０，Ｓ１２，Ｓ１３）、洗い運転、すすぎ運転及び脱水運転を実行する（ステップＳ１４）。尚、第５図の表には、水位が「高」、「中」、「低」、「少量」の各場合について、布質を判断するＫの具体的値を示す。また、第６図の表には、水位が「高」、「中」、「低」、「少量」の各場合について、布質を検出するときのモータ５の回転速度及び反転時限の具体的値を示すと共に、上記した各水位毎に、検出した布質に適した水流の強さとしてモータ５の回転速度及び反転時限、並びに洗い時間、すすぎ時間、脱水時間の具体的値を示す。」（第３頁左下欄第１０行乃至第４頁右上欄第１４行）。
ｉｉ）第６図を参酌すると、検出された布質に応じてすすぎ時間を変えていることがわかる。
　
　したがって、刊行物２には、上記記載及び第５、６図の図示内容等からみて、
「洗い運転と、この洗い運転の後、すすぎ運転を行い、このすすぎ運転の後に回転槽を回転して脱水する脱水運転と、からなり、洗濯物の布質を検出し、この検出された洗濯物の布質に基づいてすすぎ時間を変化させる洗濯機の運転方法」（以下、「引用発明２」という。）が記載されていると認めることができる。
　
（２−３）刊行物３記載の発明
　当審が平成１３年５月２２日付で通知した取消しの理由において引用した刊行物３（特公平２−４２０００号公報）には、次の事項が記載されている。
ｉ）「この脱水槽６は周側面に脱水孔７・・・を穿設し、モータ回転軸８に連結されて連続的な右回転による“脱水”と脱水−制御−停止（制動及び停止中に給水）のサイクルを繰返すことによる“脱水すすぎ”とを行なうものである。」（第２頁左欄第２２乃至２７行）
ｉｉ）「また、“脱水すすぎ”に於いて、給水されたすすぎ水は給水路１９から凹んでいる安全カバー１４内に連続的に入れられ、そこから小孔１５・・・等を通って脱水槽６内に的確に落下する。脱水槽６内のすすぎ水は直接槽内の上部の洗濯物に吸水されると共に、順次中部に侵入し、吸水されていく。ここで、遠心力が加わると、洗濯物の中に吸収された水は脱水孔７・・・を介して排水され、このように吸水と脱水を数回繰返すことにより洗濯物中に含まれる洗剤液が希釈され、所謂すすぎが行われる。」（第２頁右欄第９乃至２０行）、
ｉｉｉ）「前記マイクロコンピュータ３３は、制御装置に該当し、前記モータ電流検出回路４６からの信号を記憶している基準値（・・・）と比較し、この基準値との比較結果により洗濯物や脱水物（以下負荷と称す）の量を検知する負荷量検知装置と、この検知した負荷量に対して予め定められた時間に基づいて工程時間を算出する演算装置を内蔵し、前記各種スイッチからの入力信号を算出された工程時間に基づいてモータ等の負荷の駆動を制御するものである。」（第３頁左欄第３２乃至４１行）
ｉｖ）「斯かることより、脱水すすぎ工程に於ける負荷量の検知過程を第１図に基づいて説明する。脱水槽６に負荷を投入し、すすぎ・脱水スイッチ２７をＯＮすることにより脱水すすぎ工程を開始する。脱水モータ９がＯＮすると・・・負荷量のランクを決定する。その後、決定した負荷量に該当した前記サイクル時間から脱水工程時間を算出し、脱水時間を含めて表示する。」（第４頁右欄第４乃至１８行）
ｖ）「本発明の遠心脱水機は、負荷の量を自動的に検知し、それに見合った工程時間を決定するので、負荷の量に適した脱水すすぎ及び脱水を行うことが出来、布痛みの防止、節水等を図ることができる。」（第５頁左欄第７乃至１１行）。
ｖｉ）また、第４頁左欄中の表１を参照すると、負荷量のランクに応じて「制動（給水）時間」と「停止（給水）時間」を変化させていることが認められる。
　
　したがって、刊行物３には、上記記載からみて、
「脱水槽の制動及び停止中に上記脱水槽内に給水して脱水槽内の洗濯物全体に水を降り掛け、洗濯物全体に十分に水をしみ込ませる給水動作と、この給水動作後に上記洗濯兼脱水槽を回転して脱水する脱水動作と、からなるサイクルを実行する脱水すすぎ工程において、洗濯物の量を検知する負荷検知工程と、この負荷検知工程において検知された洗濯物の量に基づいて上記脱水すすぎ工程の給水時間を変化させる工程とを備えた遠心脱水機の運転方法。」（以下、「引用発明３」という。）が記載されていると認めることができる。
　
（３）対比・判断
　本件発明と引用発明１とを対比すると、引用発明１の「脱水兼洗濯槽」、「徐動回転」は、本件発明の「洗濯兼脱水槽」、「ゆっくり回転させながら」に相当することから、両者は「洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程を備えた洗濯機の運転方法。」である点で一致し、以下の点で相違する。
　本件発明では、脱水すすぎ工程において、洗濯物の質を検知する負荷検知工程と、この負荷検知工程において検知された洗濯物の質に基づいて上記脱水すすぎ工程の給水動作に係る所要時間を変化させる条件変化工程とを備えているのに対し、引用発明１では負荷検知工程と条件変化工程を備えていない点。
　
　以下、上記相違点について検討する。
　引用発明２には、洗い運転（本件発明の「洗濯工程」に相当。）と、この洗い運転の後、すすぎ運転を行い、このすすぎ運転の後に回転槽を回転して脱水する脱水運転とからなる洗濯機の運転方法において、洗濯物の布質を検出し、この検出された洗濯物の布質に基づいてすすぎ時間を変化させる点が含まれている。なお、この発明でいうところの「洗濯物の布質」は、その実施例に照らせば本件発明での「洗濯物の質」と同値である。さて、引用発明２における「すすぎ運転」は、本件発明及び引用発明１における「脱水すすぎ」を含むか否かは明らかではないが、そもそも「脱水すすぎ」において、本件発明の目的である「時間や水の無駄遣いの抑制」を実現するためには、条件変化工程として、当該すすぎの実施過程を考慮すれば、給水量を加減するか、すすぎ時間を加減するかしか選択手段はないものと判断できる。このことは、例えば、引用発明３において、脱水すすぎの際に、節水を図るために、洗濯物の量に応じ給水量を変更させるようにしていることからも明らかである。
　したがって、引用発明１に記載された洗濯機の運転方法において、引用発明２のように洗濯物の質に応じてすすぎの条件を変更させ、そのすすぎの条件として、引用発明３に記載された給水時間を採用して、本件発明のように構成することは、当業者が必要に応じて容易になし得たことである。また、本件発明によって奏される作用及び効果は、引用発明１乃至３から当業者が当然予想しうる程度のものであって、格別のものとは認めることができない。
　
４．むすび
　以上のとおり、本件発明は、上記刊行物１乃至３に記載された発明に基づいて当業者が容易に発明をすることができたものであるから、本件発明についての特許は特許法第２９条第２項の規定に違反してされたものであり、同法第１１３条第２号の規定に該当し、取り消されるべきものである。
　
　よって、結論のとおり決定する。
【異議決定日】
平成１３年９月５日（２００１．９．５）
【訂正の要旨】
（１）特許請求の範囲の請求項１を削除する。
（２）明細書の段落【０００８】について
　明細書の段落【０００８】の記載について、「【課題を解決するための手段】　本発明は請求項１の構成として洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程と、洗濯物の質を検知する負荷検知工程と、この負荷検知工程において検知された洗濯物の質に基づいて上記脱水すすぎ工程の給水動作に係る所要時間を変化させる条件変化工程とを備えたことを特徴とする洗濯機の運転方法にある。」と訂正する。
（３）明細書の段落【０００９】の記載を削除する。
（４）明細書の段落【００１０】について
　明細書の段落【００１０】の記載について、「【作用】洗濯物の質を検知し、この検知した洗濯物の質に基づいて、脱水すすぎ中の給水に係る所要時間を変化させる。これにより、洗濯物の質が木綿か化繊であると、これに適した脱水すすぎが行なわれ、所定の脱水すすぎ性能を確保しつつ時間や水の無駄遣いが抑制される。」と訂正する。
（５）明細書の段落【００２９】について
　明細書の段落【００２９】の記載について、「【発明の効果】本発明によれば、洗濯物の質を検知しこの検知した洗濯物の質に基づいて、脱水すすぎ中の給水に係る所要時間を変化させるものであり、従って、洗濯物の質（木綿や化繊）に適した脱水すすぎを行なえ、所定の脱水すすき性能を確保しつつ時間や水の無駄遣いを抑制することができる。」と訂正する。
（５４）【発明の名称】
洗濯機の運転方法
（５７）【特許請求の範囲】
　【請求項１】　洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程と、洗濯物の質を検知する負荷検知工程と、この負荷検知工程において検知された洗濯物の質に基づいて上記脱水すすぎ工程の給水動作に係る所要時間を変化させる条件変化工程とを備えたことを特徴とする洗濯機の運転方法。
【発明の詳細な説明】
　【０００１】
　【産業上の利用分野】
　本発明は洗濯機、更に詳しくは節水型の洗濯機に関する。
　【０００２】
　【従来の技術】
　一般的な全自動洗濯機においては、洗濯後のすすぎは通常複数回例えば２回実行され、最初は所定量の水の給水後も給水が続行される所謂注水すすぎが実行され、２回目は所定量の水の給水後は給水が停止される所謂ためすすぎが実行される。このためすすぎにおいては、洗濯兼脱水槽にソフト剤が投入され、洗濯物のソフト剤処理が行われる。
　【０００３】
　そして、最近は、節水対応の全自動洗濯機として、すすぎ時の使用水量をできるだけ抑制すべく、最初のすすぎは注水すすぎに代えて脱水すすぎとしたものが商品化されてきた。この脱水すすぎは、水が洗濯物全体にしみ込む程度に洗濯兼脱水槽に給水を行い、しみ込むと給水停止して洗濯兼脱水槽を高速回転することにより脱水を行うもので、この脱水により洗剤が水とともに飛ばされすすぎが行われるのである。そして、この脱水すすぎにおいては、給水は水が洗濯物にしみ込む程度に行うだけでよく、使用水量を抑制でき、節水が図られる。
　【０００４】
　而して、特公平２−４２０００号公報には、上記脱水すすぎ中の給水と脱水を１つのサイクルとし、このサイクルの回数やサイクルの時間を洗濯物の量に応じて変化させる技術が開示されている。これにより、洗濯物の量に応じて適切に脱水すすぎを行うことができる。
　【０００５】
　しかし、洗濯物の量以外に、木綿や化繊の如き洗濯物の質も、脱水すすぎの制御において重要な要素であるにも係わらず、洗濯物の質に応じて脱水すすぎ制御を行う洗濯機は未だ提案されていない。
　【０００６】
　例えば、木綿はすすぎにくく、この木綿に合わせて脱水すすぎ中の給水と脱水のサイクルの回数や時間が決められていると、化繊の洗濯物を脱水すすぎする場合は上記サイクルの回数や時間は不必要に多かったり長かったりし、時間や水が無駄遣いされる。
　【０００７】
　【発明が解決しようとする課題】
　本発明は、洗濯物の質に応じて脱水すすぎを制御し、時間や水を無駄遣いすることなく脱水すすぎを行うことができる洗濯機を提供しようとするものである。
　【０００８】
　【課題を解決するための手段】
　本発明は、請求項１の構成として、洗濯兼脱水槽に給水して洗濯を実行する洗濯工程と、この洗濯工程の後、上記洗濯兼脱水槽をゆっくりと回転させながら洗濯兼脱水槽内に給水して洗濯兼脱水槽内の洗濯物全体に水を降り掛け、洗濯物全体に十分に水をしみ込ませる給水動作と、この給水動作後に上記洗濯兼脱水槽を高速回転して脱水する脱水動作と、からなるサイクルを実行する脱水すすぎ工程と、洗濯物の質を検知する負荷検知工程と、この負荷検知工程において検知された洗濯物の質に基づいて上記脱水すすぎ工程の給水動作に係る所要時間を変化させる条件変化工程とを備えたことを特徴とする洗濯機の運転方法にある。
　【０００９】
　【００１０】
　【作用】
　洗濯物の質を検知し、この検知した洗濯物の質に基づいて、脱水すすぎ中の給水に係る所要時間を変化させる。これにより、洗濯物の質が木綿か化繊であると、これに適した脱水すすぎが行なわれ、所定の脱水すすぎ性能を確保しつつ時間や水の無駄遣いが抑制される。
　【００１１】
　【実施例】
　図１は本発明実施例の全自動洗濯機の構造を示す。１は機枠、２はこの機枠１内に４本の吊り棒３により吊り下げ支持された外槽、４は防振スプリング等からなり、各吊り棒３と外槽２との間に介挿された防振装置、５は周囲に多数の脱水孔（図示しない）を有し、上記外槽２内に回転自在に支承された洗濯兼脱水槽である。６はこの洗濯兼脱水槽５の底部に回転自在に配設された回転翼、７は上記洗濯兼脱水槽５及び回転翼６に動力伝達機構８を介して連結された駆動モータで、この駆動モータ７は洗濯及び通常すすぎ時には回転翼６のみを回転させ、脱水時（脱水すすぎに際しての脱水時を含む）には洗濯兼脱水槽５及び回転翼６をともに高速で一方向へ回転させる。９は給水ノズル１０の途中に設けられた電磁給水弁、１１は排水パイプ１２の途中に設けられた電磁排水弁である。１３は上記外槽２の底部のエアトラップ１４に圧力ホースを介して接続された水位センサで、この水位センサ１３により洗濯兼脱水槽５内の水位が検知され、洗濯兼脱水槽５に供給された水の量が分かる。
　【００１２】
　図２は洗濯機のブロック回路を示す。１５は洗濯機の制御を司るマイクロコンピュータからなる制御部である。この制御部１５は、キー入力部１６からのキー入力信号、上記水位センサ１３による検知結果、及び負荷検知回路１７の検知結果等に基づいて、上記駆動モータ７、電磁給水弁９及び電磁排水弁１１を駆動制御する。
　【００１３】
　上記負荷検知回路１７は洗濯時に駆動モータ７に流れる電流を検出する。そして、上記制御部１５は、負荷検知回路１７の検出出力を予め定められた基準値と比較し、その大小で洗濯物の量を判定する。更に、負荷検知回路１７は洗濯時に駆動モータ７に流れる電流値をいくつかサンプリング検出し、そして制御部１５は、このサンプリングされた電流値のバラツキ度合（電流値の最大値と最小値との差）を求めて洗濯物の質を判定する。尚、上記負荷検知回路１７は、洗濯中の駆動モータ７の駆動中断時の惰性回転における電流を検出するようにしても良い。
　【００１４】
　図３は洗濯機の基本的な運転手順を示す。上記制御部１５はまず、洗濯工程を実行し、次いで脱水すすぎ工程及び通常すすぎ工程（ためすすぎ）を順次実行し、最後に脱水工程を実行する。
　【００１５】
　図４は上記制御部１５に組み込まれたプログラムの流れを示す。以下同図に基づいて洗濯機の動作を説明する。上記キー入力部１６でのスタートキーの操作に基づいてスタートキー信号が到来すると、制御部１５は運転を開始し、まず洗濯工程を実行する。この洗濯工程においては、制御部１５は、上記水位センサ１３が所定水位を検知するまで（洗濯兼脱水槽５に所定量の水がたまるまで）、上記給水弁９を開放して給水を行う（Ｓ１ステップ）。所定水位が検知されると、給水弁９は閉じられる。そして、所定量の水がたまると、制御部１５は上記駆動モータ７の駆動の下に回転翼６のみを低速回転させ、これにより洗濯が行われる（Ｓ２ステップ）。
　【００１６】
　上記洗濯工程が終了すると、制御部１５は次いで脱水すすぎ工程を実行する。脱水すすぎ工程においては、まず排水弁１１を開放して洗濯時の洗濯水を排出し、洗濯兼脱水槽５を回転翼６とともに高速回転して洗濯物から脱水する（Ｓ３ステップ）。これが終了すると、脱水すすぎが実行される（Ｓ４ステップ）。排水弁１１は開放状態を維持する。
　【００１７】
　即ち、図６を参照するに、或る時間ｔの間、制御部１５は給水弁９を開放して給水を行う。この給水の間、制御部１５は、上記駆動モータ７の１秒駆動−５秒停止の繰り返しを行う。この時、洗濯兼脱水槽５は、回転翼６とともに高速回転状態に立ち上がろうとすると直ちに惰性回転状態に入るのを繰り返す。結局、洗濯兼脱水槽５はゆっくり回転する。
　【００１８】
　従って、洗濯兼脱水槽５がゆっくり回転しながら給水が行われて、洗濯兼脱水槽５内の洗濯物にほぼ満遍なく水が降り掛かり、洗濯物全体に水がしみ込んでいく。上記時間ｔが経過した頃には水が十分しみ込み、洗濯物は水を十分含んだ状態となる。
　【００１９】
　その後、給水弁９を閉じ、制御部１５は或る時間ｔ１の間駆動モータ７を駆動して、洗濯兼脱水槽５を高速回転させて脱水を行う。これにより、洗剤がよくしみ込んだ水とともに飛ばされる。
　【００２０】
　以上の、洗濯兼脱水槽５をゆっくり回転しながら給水し、その後脱水するという一連の流れを１サイクルとすると、Ｓ４ステップでの脱水すすぎにおいては、このサイクルが複数回繰り返し実行される。
　【００２１】
　上記脱水すすぎ工程が終了すると、制御部１５は続いて通常すすぎ（ためすすぎ）工程を実行する。この工程においては、洗濯工程の場合と同様に、制御部１５は、上記水位センサ１３が所定水位を検知するまで、給水弁９を開放して給水する（Ｓ５ステップ）。排水弁１１は脱水すすぎ工程の直前に事前に閉じておく。所定水位が検知されると、給水弁９は閉じられる。そして、所定量の水がたまると、制御部１５は上記駆動モータ７の駆動の下に回転翼６のみを回転させ、これによりためすすぎが行われる（Ｓ６ステップ）。
　【００２２】
　上記通常すすぎ工程が終了すると、制御部１５は最後に脱水工程を実行する。脱水工程においては、まず排水弁１１を開放して、ためすすぎ時の水を排出する（Ｓ７ステップ）。排水が終了すると、制御部１５は洗濯兼脱水槽５を高速回転し、脱水が実行される（Ｓ８ステップ）。排水弁１１は開放状態を維持する。脱水工程の終了により運転終了となる。
　【００２３】
　さて、上記洗濯工程におけるＳ２ステップでは、制御部１５は図５に示されるプログラムの流れに沿う制御をも行う。即ち、制御部１５は、上記負荷検知回路１７により検出された洗濯時の駆動モータ電流値を入力し（Ａ１ステップ）、この電流値を予め定められた基準値と比較し、その大小に基づいて負荷検知を行う。具体的には、洗濯物の量を大・中・小に区別して判定する（Ａ２ステップ）。大の場合は、洗濯物の量は３．５Ｋｇ以上である。中の場合は、２．５Ｋｇ以上３．５Ｋｇ未満である。小の場合は、２．５Ｋｇ未満である。
　【００２４】
　そして、制御部１５は、洗濯物量の大・中・小に応じて、上記脱水すすぎの設定条件の１つである、給水及び脱水からなる１サイクルの所要時間を変化させる。具体的には、５分・４分・３分と変化させる（Ａ３、Ａ４、Ａ５ステップ）。尚、上記１サイクルの所要時間に代え、洗濯物量の大・中・小に応じて、１サイクル中の給水に係る所要時間ｔ、或いは脱水に係る所要時間ｔ１を変化させるようにしても良い。
　【００２５】
　次に、制御部１５は、負荷検知回路１７により検出された洗濯時の駆動モータ電流値をいくつかサンプリング入力し（Ａ６ステップ）、このサンプリングされた電流値のバラツキ度合（電流値の最大値と最小値との差）を求め、このバラツキ度合を予め定められた基準値と比較し、その大小に基づいて更なる負荷検知、即ち洗濯物の質の検知を行う。具体的には、バラツキ度合が基準値に比べて大であると、洗濯物の質は木綿であると判定し、逆であると、洗濯物の質は化繊であると判定する（Ａ７ステップ）。これは、木綿では上記バラツキ度合が大きく、また化繊では上記バラツキ度合が小さくなると云う特性に基づいたものである。
　【００２６】
　そして、制御部１５は、洗濯物の質即ち木綿か化繊に応じて、上記脱水すすぎの設定条件の１つである、給水及び脱水からなるサイクルの繰り返し回数を変化させる。具体的には、木綿の場合は繰り返し回数を３回に、化繊の場合は繰り返し回数を２回に変化させる（Ａ８、Ａ９ステップ）。尚、サイクルの繰り返し回数に代え、洗濯物の質に応じて、１サイクルの所要時間や１サイクル中の給水に係る所要時間ｔや１サイクル中の脱水に係る所要時間ｔ１を変化させるようにしても良い。この場合、各所要時間は洗濯物の量及び質の双方に基づいて変化することになる。
　【００２７】
　而して、このように洗濯物の量及び質に応じて変化された設定条件（１サイクルの所要時間及びサイクル繰り返し回数）の下で、上記Ｓ４ステップにおいて脱水すすぎが実行される。従って、洗濯物の量（大・中・小）及び質（木綿か化繊）に適した脱水すすぎが行われ、所定の脱水すすぎ性能を確保しつつ、時間や水の無駄遣いの抑制を図っている。
　【００２８】
　尚、上記実施例においては、通常すすぎ工程でためすすぎを行う構成であるが、ためすすぎに代えて注水すすぎを行うようにしても良い。
　【００２９】
　【発明の効果】
　本発明によれば、洗濯物の質を検知し、この検知した洗濯物の質に基づいて、脱水すすぎ中の給水に係る所要時間を変化させるものであり、従って、洗濯物の質（木綿や化繊）に適した脱水すすぎを行なえ、所定の脱水すすぎ性能を確保しつつ時間や水の無駄遣いを抑制することができる。
【図面の簡単な説明】
　【図１】
　本発明実施例の全自動洗濯機の断面図である。
　【図２】
　同洗濯機のブロック回路図である。
　【図３】
　同洗濯機の基本的運転手順を示すシーケンス図である。
　【図４】
　同洗濯機の制御部に組み込まれたプログラムの流れ図である。
　【図５】
　同洗濯機の制御部に組み込まれた、洗濯工程中の要部のプログラムの流れ図である。
　【図６】
　同洗濯機の脱水すすぎ時の要部の駆動タイミングを示すタイミング図である。
　【符号の説明】
　５　　洗濯兼脱水槽
　７　　駆動モータ
　９　　電磁給水弁
　１１　電磁排水弁
　１３　水位センサ
　１５　制御部
　１７　負荷検知回路